【事件の表示】
　特願２００５−　５３６５２「投影装置」拒絶査定不服審判事件〔平成１８年　９月　７日出願公開、特開２００６−２３６２５７〕について、次のとおり審決する。
【結　論】
　本件審判の請求は、成り立たない。
【理　由】
第１．手続の経緯
　本願は、平成１７年２月２８日の出願であって、平成２２年３月１７日付けで拒絶理由の通知がなされ、平成２２年５月２１日付けで意見書及び手続補正書が提出され、そして、平成２３年２月２３日付けで最後の拒絶理由が通知され、同年４月２７日に意見書及び手続補正書が提出されたが、同年５月２０日付けで、同年４月２７日付けの手続補正の却下がなされるとともに、同日付けで拒絶査定がなされた。これに対して、同年８月３０日に審判請求がなされるとともに、手続補正がなされたものである。
　
第２．補正却下の決定
［補正却下の決定の結論］
　　平成２３年８月３０日付けの手続補正を却下する。
　
［理由］
１．補正後の本願発明
　上記手続補正（以下、「本件補正」という。）は平成２２年５月２１日付けの手続補正書（以下、「第１回補正」という。）の特許請求の範囲の請求項１に記載された発明を、
「複数の操作キーを備えたリモートコントローラでのキー操作に対応可能であり、外部装置から第１の接続手段を介して送られてくる画像信号に従った投影動作を実行する投影装置であって、
　上記第１の接続手段とは別に上記外部装置と脱着可能に接続され、制御コマンドを送受する第２の接続手段と、
　上記第２の接続手段の接続状態を判断する接続判断手段と、
　上記リモートコントローラの所定キーの操作に対応してポインタの操作を行うポインタ制御手段とを具備し、
　上記ポインタ制御手段の上記ポインタの操作は、上記接続判断手段によって上記第２の接続手段が接続しているとの判断時には上記外部装置に上記制御コマンドを送信して上記外部装置が生成する画像信号中の上記ポインタの移動を上記リモートコントローラの所定キーの操作に対応するように指示し、非接続との判断時には投影画像上に重畳する上記ポインタの画像を投影装置で生成し、上記投影画像上に重畳する上記ポインタの画像の位置の移動を上記リモートコントローラの所定キーの操作に対応するように指示することを特徴とする投影装置。」
という発明（以下、「補正後の発明」という。）に変更することを含むものである。
　
２．補正の目的要件について
　上記補正は、第１回補正の、特許請求の範囲の請求項１に記載された「第２の接続手段が接続しているとの判断時には上記外部装置に上記制御コマンドを送信して外部装置のポインタの移動を指示し、非接続との判断時には投影画像上に重畳するポインタの画像を投影装置で生成し、移動を指示する」を、
「第２の接続手段が接続しているとの判断時には上記外部装置に上記制御コマンドを送信して外部装置が生成する画像信号中の上記ポインタの移動を上記リモートコントローラの所定キーの操作に対応するように指示し、非接続との判断時には投影画像上に重畳する上記ポインタの画像を投影装置で生成し、上記投影画像上に重畳する上記ポインタの画像位置の移動を上記リモートコントローラの所定キーの操作に対応するように指示する」と限定して特許請求の範囲を減縮するものである。
　
３．独立特許要件について
　上記補正は特許請求の範囲の減縮を目的とするものであるから、上記補正後の発明が特許出願の際独立して特許を受けることができるものであるのかどうかについて以下に検討する。
（１）補正後の発明
　補正後の発明は、上記したとおりのものである。
　
（２）引用発明及び公知技術
　　
　Ａ．引用発明
　原査定の拒絶の理由で引用した特開２００３−１４０８３４号公報（以下、「引用文献１」という。）には、図面とともに以下の事項が記載されている。
　
　ａ．「【００１１】図１に、本発明の一実施形態に係る説明支援装置の構成を示す。この図に示す
説明支援装置は、プロジェクタ１０がスクリーン１１上の任意の投影範囲１２に向けて映像を投影する装置
プロジェクタ１０は、この映像信号伝送路１４を介してＰＣ１３から供給される映像信号に基づき、スクリーン１１上に映像を投影する
【００１２】
レーザ投光器１５は、レーザ光のビームをスクリーン１１上に投射することにより、マーカ１６をスクリーン１１上に表示させる
レーザ投光器１５をプロジェクタ１０に組み込んだ形で本発明を実施することもできる
レーザ投光器１５は、ポインティングデバイス用伝送路１７を介してＰＣ１３に接続されており、またレーザ投光器１５にはリモートコントローラ用伝送路１９を介してリモートコントローラ１８が接続されている
　
　ｂ．「【００１３】
リモートコントローラ１８は
説明者が操作できるようトラックボール２２、左ボタン２３、右ボタン２４及びモードスイッチ２５を設け
　
　ｃ．「【００１４】図３に、リモートコントローラ１８、レーザ投光器１５及びＰＣ１３間の信号・情報伝送の手順、特に伝送路１９及び１７による伝送の手順の概略を示す。まず、本実施形態では、リモートコントローラ１８のモードを説明者がモードスイッチ２５の操作により指定可能である。ここでいうモード指定とは、具体的には、
リモートコントローラ１８からのアクセス先即ちリモートコントローラ１８からそのインタフェース２７により送信される信号の宛先を、指定することである
指定可能なモードとして、少なくともカーソルモード及びマーカモードを有している
【００１５】
カーソルモードは、リモートコントローラ１８から送信される信号がレーザ投光器１５を介してＰＣ１３により受信されるモードであり、このモードでは、ＰＣ１３はリモートコントローラ１８からの信号をポインティングデバイスからの信号として扱う。即ち、カーソルモードで動作しているとき、レーザ投光器１５は、ポインティングデバイスが接続されていることを確認するための信号／電力授受を含めポインティングデバイス用伝送路１７による通信を実行することによって、ＰＣ１３に対し自らがポインティングデバイスであるかのように見せかけながら、リモートコントローラ１８から送信された信号の受信、その信号についてのインタフェース変換、ポインティングデバイス用伝送路１７上への信号送出等を実行する。ＰＣ１３は、この見せかけに従ってレーザ投光器１５をポインティングデバイスとして扱い、レーザ投光器１５からポインティングデバイス用伝送路１７を介して受信した信号に基づく動作を実行する。例えば、トラックボール２２の回動方向及び回動量（回動速度）を示す信号を受信したときはそれに応じて画面上及びスクリーン１１上のカーソル位置を変化させる
　
　ｄ．【００１６】
マーカモードは、リモートコントローラ１８から送信される信号がレーザ投光器１５により受信されＰＣ１３には引き渡されないモードである。このモードでも、レーザ投光器１５はＰＣ１３に対しポインティングデバイスであるかのように見せかけるが、リモートコントローラ１８から受信した信号の中継送信は行わない。即ち、ＰＣ１３から見て、ポインティングデバイスが接続されているけれどもそのポインティングデバイスからは特に説明者による指令が来ていない、と見える状態となる。レーザ投光器１５は、リモートコントローラ１８からの信号に基づきマーカを動作させる。例えば、トラックボール２２の操作に伴い発生した信号に応じて、スクリーン１１上におけるマーカ１６の位置を変化させる
　
　してみると、引用文献１に記載された発明（以下、「引用発明」という。）は、以下のとおりのものである。
〈引用発明〉
　説明支援装置は、プロジェクタ１０がスクリーン１１上の任意の投影範囲１２に向けて映像を投影する装置であって、
　映像信号伝送路１４を介してＰＣ１３から供給される映像信号に基づき、スクリーン１１上に映像を投影するプロジェクタ１０と、
　レーザ光のビームをスクリーン１１上に投射することにより、マーカ１６をスクリーン１１上に表示させるレーザ投光器１５と、
　説明者が操作できるようトラックボール２２、左ボタン２３、右ボタン２４及びモードスイッチ２５を設けたリモートコントローラ１８とからなり、
　レーザ投光器１５をプロジェクタ１０に組み込んだ形でもよく、
　レーザ投光器１５は、ポインティングデバイス用伝送路１７を介してＰＣ１３に接続されており、またレーザ投光器１５にはリモートコントローラ用伝送路１９を介してリモートコントローラ１８が接続されているものにおいて、
　リモートコントローラ１８からのアクセス先即ちリモートコントローラ１８からそのインタフェース２７により送信される信号の宛先を、指定することができ、この指定可能なモードとして、少なくともカーソルモード及びマーカモードを有しており、
　カーソルモードは、リモートコントローラ１８から送信される信号がレーザ投光器１５を介してＰＣ１３により受信されるモードであり、このモードでは、ＰＣ１３はリモートコントローラ１８からの信号をポインティングデバイスからの信号として扱い、即ち、カーソルモードで動作しているとき、レーザ投光器１５は、ポインティングデバイスが接続されていることを確認するための信号／電力授受を含めポインティングデバイス用伝送路１７による通信を実行することによって、ＰＣ１３に対し自らがポインティングデバイスであるかのように見せかけながら、リモートコントローラ１８から送信された信号の受信、その信号についてのインタフェース変換、ポインティングデバイス用伝送路１７上への信号送出等を実行し、
　ＰＣ１３は、この見せかけに従ってレーザ投光器１５をポインティングデバイスとして扱い、レーザ投光器１５からポインティングデバイス用伝送路１７を介して受信した信号に基づく動作を実行し、例えば、トラックボール２２の回動方向及び回動量（回動速度）を示す信号を受信したときはそれに応じて画面上及びスクリーン１１上のカーソル位置を変化させるものであり、
　また、マーカモードは、リモートコントローラ１８から送信される信号がレーザ投光器１５により受信されＰＣ１３には引き渡されないモードであり、このモードでも、レーザ投光器１５はＰＣ１３に対しポインティングデバイスであるかのように見せかけるが、リモートコントローラ１８から受信した信号の中継送信は行わないもので、即ち、ＰＣ１３から見て、ポインティングデバイスが接続されているけれどもそのポインティングデバイスからは特に説明者による指令が来ていない、と見える状態となり、
　レーザ投光器１５は、リモートコントローラ１８からの信号に基づきマーカを動作させ、例えば、トラックボール２２の操作に伴い発生した信号に応じて、スクリーン１１上におけるマーカ１６の位置を変化させる、
説明支援装置。
　
　Ｂ．第１の公知技術
　原査定の拒絶の理由で引用した特開平１−１７５６２０号公報（以下、「引用文献２」という。）には、図面とともに以下の事項が記載されている。
　
　ｅ．「データを入力する為のキーボードと、
　前記キーボードに設けられる機能キーと、
　前記機能キーに操作に応答して、外部装置が接続されているか否かを判別する判別手段と、
　前記判別手段の判別結果に従って前記機能キーの操作に対応した処理を行う処理手段と、
　を有することを特徴とするキーボードを有する電子機器。」（公報第１頁左欄の「２．特許請求の範囲」の記載。）
　
　ｆ．「本発明は、プリンタ等の装置を、着脱可能なキーボードを有する電子機器に関するものである。」（公報第１頁左欄「［産業上の利用分野］の記載。）
　
　してみると、引用文献２に記載された発明（以下、「第１の公知技術」という。）は、以下のとおりのものである。
〈第１の公知技術〉
「外部装置が接続されているか否かを判別して、判別結果に従って、機能キーの操作に対応した処理を行う処理手段を有する電子機器。」
　
　Ｃ．第２の公知技術
　査定の拒絶の理由で引用した特開２００５−４９６６６号公報（以下、「引用文献３」という。）には、図面とともに以下の事項が記載されている。
　
　ｇ．「第１の情報処理装置と第２の情報処理装置とが有線又は無線の通信路にて接続され、第１の情報処理装置は第２の情報処理装置から少なくとも画像を受信し、第２の情報処理装置は第１の情報処理装置から少なくともポインティングデバイスの情報を受信するリモートコントロールシステムであって、
　前記第１の情報処理装置は、ポインティングデバイスからの移動量情報及び方向情報及びクリック情報を受信する手段と、前記移動量情報及び方向情報に基づいて生成したカーソル座標情報を前記クリック情報を受信した際に前記第２の情報処理装置に送信する手段と、前記第２の情報処理装置から受信したカーソル無しの画像の表示に際して前記カーソル座標情報に基づいてカーソルを当該表示画像に合成する手段と、を備え、
　前記第２の情報処理装置はカーソル無しの画像を送出すると共に受信した前記カーソル座標情報に基づいて実行すべき処理を判断するように構成されたことを特徴とするリモートコントロールシステム。」（【請求項１】の記載。）
　
　ｈ．「【００１２】
　図１はこの実施形態のリモートコントロールシステムを示したブロック図である。このリモートコントロールシステムは、第１の情報処理装置である液晶プロジェクタ２０と第２の情報処理装置であるパーソナルコンピュータ３０とが有線又は無線の通信路（この実施形態ではＬＡＮ（ローカルエリアネットワーク）４０としている）にて接続されて成り、液晶プロジェクタ２０はパーソナルコンピュータ３０から少なくとも画像を受信し、パーソナルコンピュータ３０は液晶プロジェクタ２０から少なくともポインティングデバイスの情報を受信する。ここで、パーソナルコンピュータ３０がリモコン送信機１０（液晶プロジェクタ２０）によるリモートコントロールの対象となる。
【００１３】
　パーソナルコンピュータ３０からＬＡＮ４０を介して伝送された符号映像は受信インターフェイス２１Ａを介して映像復号部２２に与えられ、復号処理がなされ、映像信号となって映像信号処理回路２３に与えられる。映像信号処理回路２３は映像信号に対する各種の処理を行う他、ＯＳＤ（オンスクリーンディスプレイ）機能を備え、マイコン（マイクロコンピュータ）２６から出力指示された文字情報や図形情報に基づく映像信号を生成し、この映像信号を受信映像信号に組み込む処理を行う。ガンマ補正回路２４は液晶ライトバルブ（ＬＣＤ）２５の印加電圧−光透過特性に鑑みた補正処理を行い、この補正後の映像信号（映像データ）を液晶ライトバルブ２５に与える（駆動する）。
【００１４】
　リモコン送信機１０は、各種のキー及びポインティングデバイス（例えば、トラックボール，ジョイスティック、方向キー群等）１０ａを備えて液晶プロジェクタ２０に各種指令を送出するものであり、前記キーを操作すると、そのキーに対応した指令を意味するリモコン信号光が発光部から送出される。また、前記ポインティングデバイス１０ａを操作すると、カーソル移動情報（移動量・方向情報）やクリック情報となるリモコン信号光が発光部から送出される。リモコン信号受光部２７は、前記信号光を受光し、これを電気信号に変換してマイコン２６に与える。」（段落【００１２】〜【００１４】の記載。）
　
　引用文献３に記載された発明（以下、「第２の公知技術」という。）は、以下のとおりのものである。
〈第２の公知技術〉
「第１の情報処理装置と第２の情報処理装置とが有線又は無線の通信路にて接続され、第１の情報処理装置は第２の情報処理装置から少なくとも画像を受信し、第２の情報処理装置は第１の情報処理装置から少なくともポインティングデバイスの情報を受信するリモートコントロールシステムであって、
　前記第１の情報処理装置は、リモコン送信機のポインティングデバイスからの移動量情報及び方向情報及びクリック情報を受信する手段と、前記移動量情報及び方向情報に基づいて生成したカーソル座標情報を前記クリック情報を受信した際に前記第２の情報処理装置に送信する手段と、
前記第２の情報処理装置から受信したカーソル無しの画像の表示に際して前記カーソル座標情報に基づいてカーソルを当該表示画像に合成する
　前記第２の情報処理装置はカーソル無しの画像を送出すると共に受信した前記カーソル座標情報に基づいて実行すべき処理を判断するように構成されたことを特徴とするリモートコントロールシステム。」
　
（３）対比・判断
　補正後の発明と引用発明とを対比する。
ア．引用発明の「トラックボール２２、左ボタン２３、右ボタン２４及びモードスイッチ２５を設けたリモートコントローラ１８」、「ＰＣ１３」、「映像信号」は、それぞれ、
　補正後の発明の「複数の操作キーを備えたリモートコントローラ」、「外部装置」、「画像信号」に相当する。
イ．また、引用発明の「プロジェクタ１０」及び「レーザ投光器１５」は、「レーザ投光器１５をプロジェクタ１０に組み込んだ形でもよく」、映像を投影する装置であるので、レーザ投光器１５をプロジェクタ１０に組み込んだ形の装置は、補正後の発明の「投影装置」に相当する。
ウ．引用発明の「映像信号伝送路１４」、「ポインティングデバイス用伝送路１７」は、それぞれ補正後の発明の「第１の接続手段」、「第２の接続手段」に相当し、そして、引用発明の「ポインティングデバイス用伝送路１７」は、「ポインティングデバイス用伝送路１７及びそのインタフェースについては、ＰＣ１３に一般的に装備されているインタフェースを有効利用するためＰＳ／２、ＵＳＢ等に準拠したものを使用するのが望ましい」（段落【００１２】の記載。）ことから、ＰＣ１３と脱着可能であることは、明らかである。
エ．引用発明の「画面上及びスクリーン１１上のカーソル」及び「スクリーン１１上におけるマーカ」は、投影画像上の所定の部分を操作者が指示するためのものである点で、本願補正発明の「ポインタ」に相当する。
オ．引用発明の「レーザ投光器１５」は、「ポインティングデバイスが接続されていることを確認するための信号／電力授受を含めポインティングデバイス用伝送路１７による通信を実行することによって、ＰＣ１３に対し自らがポインティングデバイスであるかのように見せかけながら、リモートコントローラ１８から送信された信号の受信、その信号についてのインタフェース変換、ポインティングデバイス用伝送路１７上への信号送出等を実行」するとともに、「リモートコントローラ１８からの信号に基づきマーカを動作させ、例えば、トラックボール２２の操作に伴い発生した信号に応じて、スクリーン１１上におけるマーカ１６の位置を変化させる」手段を有していることから、補正後の発明の「リモートコントローラの所定キーの操作に対応してポインタの操作を行うポインタ制御手段」を備えるものである。
カ．引用発明の「カーソルモード」における「ＰＣ１３はリモートコントローラ１８からの信号をポインティングデバイスからの信号として扱い、即ち、カーソルモードで動作しているとき、レーザ投光器１５は、ポインティングデバイスが接続されていることを確認するための信号／電力授受を含めポインティングデバイス用伝送路１７による通信を実行することによって、ＰＣ１３に対し自らがポインティングデバイスであるかのように見せかけながら、リモートコントローラ１８から送信された信号の受信、その信号についてのインタフェース変換、ポインティングデバイス用伝送路１７上への信号送出等を実行し、
　ＰＣ１３は、この見せかけに従ってレーザ投光器１５をポインティングデバイスとして扱い、レーザ投光器１５からポインティングデバイス用伝送路１７を介して受信した信号に基づく動作を実行し、例えば、トラックボール２２の回動方向及び回動量（回動速度）を示す信号を受信したときはそれに応じて画面上及びスクリーン１１上のカーソル位置を変化させる」ことは、補正後の発明の、所定のある条件の場合には「外部装置に上記制御コマンドを送信して上記外部装置が生成する画像信号中の上記ポインタの移動を上記リモートコントローラの所定キーの操作に対応するように指示」することに対応し、
キ．引用発明の「マーカーモード」における「リモートコントローラ１８から送信される信号がレーザ投光器１５により受信されＰＣ１３には引き渡されないモードであり、このモードでも、レーザ投光器１５はＰＣ１３に対しポインティングデバイスであるかのように見せかけるが、リモートコントローラ１８から受信した信号の中継送信は行わないもので、即ち、ＰＣ１３から見て、ポインティングデバイスが接続されているけれどもそのポインティングデバイスからは特に説明者による指令が来ていない、と見える状態となり、
　レーザ投光器１５は、リモートコントローラ１８からの信号に基づきマーカを動作させ、例えば、トラックボール２２の操作に伴い発生した信号に応じて、スクリーン１１上におけるマーカ１６の位置を変化させる」ことは、補正後の発明の、他の所定の条件の場合には「投影画像上に重畳する上記ポインタの画像を投影装置で生成し、上記投影画像上に重畳する上記ポインタの画像の位置の移動を上記リモートコントローラの所定キーの操作に対応するように指示する」ことと、他の所定の条件の場合には「投影画像上に重畳する上記ポインタ」を投影装置で生成し、「上記投影画像上に重畳する上記ポインタ」の位置の移動を上記リモートコントローラの所定キーの操作に対応するように指示する点で、共通している。
　
　したがって、両者は、以下の一致点と相違点とを有する。
〈一致点〉
「複数の操作キーを備えたリモートコントローラでのキー操作に対応可能であり、外部装置から第１の接続手段を介して送られてくる画像信号に従った投影動作を実行する投影装置であって、
　上記第１の接続手段とは別に上記外部装置と脱着可能に接続され、制御コマンドを送受する第２の接続手段と、
　上記リモートコントローラの所定キーの操作に対応してポインタの操作を行うポインタ制御手段とを具備し、
　上記ポインタ制御手段の上記ポインタの操作は、所定の条件の場合には上記外部装置に上記制御コマンドを送信して上記外部装置が生成する画像信号中の上記ポインタの移動を上記リモートコントローラの所定キーの操作に対応するように指示し、他の所定の条件の場合には投影画像上に重畳する上記ポインタを投影装置で生成し、上記投影画像上に重畳する上記ポインタの位置の移動を上記リモートコントローラの所定キーの操作に対応するように指示することを特徴とする投影装置。」
　
〈相違点１〉
　補正後の発明では、「第２の接続手段の接続状態を判断する接続判断手段」を有し、「上記接続判断手段によって上記
第２の接続手段が接続しているとの判断時には
非接続との判断時には
　
〈相違点２〉
　補正後の発明では、「投影画像上に重畳する上記ポインタの画像を投影装置で生成し、上記投影画像上に重畳する上記ポインタの画像の位置の移動を上記リモートコントローラの所定キーの操作に対応するように指示する」のに対し、引用発明では「ポインタ」をレーザ投光器で生成し、スクリーン上に光学的に重畳することで、スクリーン上のポインタの位置を変化させており、ポインタを「
画像
　
　相違点につき検討する。
〈相違点１について〉
　引用発明において、ポインティングデバイス用伝送路１７は脱着可能であること、また、
コマンドをＰＣ１３へ送信する「カーソルモード」の場合は、「ポインティングデバイスが接続されていることを確認するための信号／電力授受を含めポインティングデバイス用伝送路１７による通信を実行」し、「マーカーモード」の場合は、「リモートコントローラ１８から受信した信号の中継送信は行わない」こと、そして、引用文献２に記載されているように「外部装置が接続されているか否かを判別して、判別結果に従って、機能キーの操作に対応した処理を行う」ことは、公知の技術であること、を総合して鑑みると、引用発明において、手動で行われているモードの切り換えを、「ポインティングデバイス用伝送路１７」の着脱に応じて切り換えるようにし、相違点１に係る構成とすることは、当業者が容易になし得るものである。
　
〈相違点２について〉
　引用文献３に記載されているように、「前記第２の情報処理装置から受信したカーソル無しの画像の表示に際して前記カーソル座標情報に基づいてカーソルを当該表示画像に合成する手段」は公知の技術であり、ポインタを投影画像に光学的に重畳する引用発明の構成に換えて、信号上で重畳する前記公知技術を採用することで、相違点２に係る構成とすることは、当業者が容易になし得るものである。
　
　また、補正後の発明の備える構成により奏する作用効果も、引用発明及び公知技術から得られる構成により奏する作用効果からみて、格別のものともいえない。
　したがって、補正後の発明は、引用発明及び公知技術に基づき当業者が容易に発明をすることができた発明であるから、特許法第２９条第２項の規定により、特許出願の際独立して特許を受けることができない発明である。
　
４．結語
　したがって、本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。
　
第３．本願発明について
１．本願発明
　平成２３年８月３０日付けの手続補正を上記のとおり却下したので、本願の請求項１に係る発明（以下、「本願発明」という。）は、平成２２年５月２１日付けの手続補正書により補正された明細書及び図面の記載からみて、その特許請求の範囲の請求項１に記載された以下のとおりのものと認める。
「複数の操作キーを備えたリモートコントローラでのキー操作に対応可能であり、外部装置から第１の接続手段を介して送られてくる画像信号に従った投影動作を実行する投影装置であって、
　上記第１の接続手段とは別に上記外部装置と脱着可能に接続され、制御コマンドを送受する第２の接続手段と、
　上記第２の接続手段の接続状態を判断する接続判断手段と、
　上記リモートコントローラの所定キーの操作に対応してポインタの操作を行うポインタ制御手段とを具備し、
　上記ポインタ制御手段の上記ポインタの操作は、上記接続判断手段によって上記第２の接続手段が接続しているとの判断時には上記外部装置に上記制御コマンドを送信して外部装置のポインタの移動を指示し、非接続との判断時には投影画像上に重畳するポインタの画像を投影装置で生成し、移動を指示することを特徴とする投影装置。」
　
２．引用発明及び公知技術
　引用発明及び公知技術は、上記「第２．補正却下の決定」の項中の「３．独立特許要件について」の項中の「（２）引用発明及び公知技術」の項に示したとおりである。
　
３．対比・判断
　そこで、本願発明と引用発明とを対比するに、本願発明は上記補正後の発明から当該補正に係る限定を省いたものである。
　そうすると、本願発明の構成に当該補正に係る限定を付加した補正後の発明が、上記「第２．補正却下の決定」の項中の「３．独立特許要件について」の項で検討したとおり、引用発明及び公知技術に基づいて当業者が容易に発明できた発明であるから、本願発明も同様の理由により、当業者が容易に発明できた発明である。
　
４．むすび
　以上のとおり、本願発明は、引用発明及び公知技術に基づいて当業者が容易に発明をすることができた発明であるから、特許法第２９条第２項の規定により特許を受けることができない。
　
　よって、結論のとおり審決する。